(57)【要約】【課題】排泄された液を吸収しても、吸収性コアが局所的に膨潤しにくいパンツ型吸収性物品を提供すること。【解決手段】吸収性コア５は、坪量の異なる第１領域４１及び第２領域４２を少なくとも有し、第１領域４１は第２領域４２よりも坪量が高い。第１領域４１は股下部Ｃを含み、第２領域４２は背側部Ｂを含む。第１領域４１は長手方向に延びる複数条の折曲誘導部５１，５２ａ，５２ｂからなる折曲誘導部群５０を有している。折曲誘導部群５０は、中央折曲誘導部５１と、該中央折曲誘導部５１の両側部に位置する一対の側部折曲誘導部５２ａ，５２ｂとからなる。折曲誘導部群５０は、腹側部Ａに位置する外装体３における下端部３１Ａ，３２Ａよりも股下部Ｃ寄りに位置しており、背側部Ｂには該折曲誘導部群５０が非存在となっている。【選択図】図５
2019022727.tif 000002
【特許請求の範囲】
【請求項１】
吸収性コアを含む縦長の吸収性本体と、該吸収性本体の非肌対向面側に配されて該吸収性本体と固定されている外装体とを備え、着用者の腹側に配される腹側部、股間部に配される股下部及び背側に配される背側部を有し、該外装体における該腹側部に位置する腹側シート部材及び該背側部に位置する背側シート部材それぞれの本体長手方向に沿う両側縁部どうしが接合されてウエスト開口部及び一対のレッグ開口部が形成されているパンツ型吸収性物品であって、
前記吸収性コアは、坪量の異なる第１領域及び第２領域を少なくとも有し、第１領域は第２領域よりも坪量が高く、
第１領域は少なくとも股下部を含み、第２領域は少なくとも背側部を含み、
第１領域は、吸収性コアの長手方向に延びる複数条の折曲誘導部からなる折曲誘導部群を有しており、
折曲誘導部群は、吸収性コアの幅方向中央域に位置する中央折曲誘導部と、該中央折曲誘導部の両側部に位置する一対の側部折曲誘導部とからなり、
折曲誘導部群は、腹側部に位置する外装体における下端部よりも股下部寄りに位置しており、背側部には該折曲誘導部群が非存在となっており、
吸収性本体が、腹側シート部材と背側シート部材とに架け渡して固定されており、
腹側シート部材及び背側シート部材は、それぞれ、その非肌対向面を形成する外層シート材と、該外層シート材の内面側に配された内層シート材とを含んで構成されており、
背側シート部材においては、外層シート材が、内層シート材の長手方向の外方端から長手方向の外方へ延出する延出部を有しており、該延出部は内層シート材側に折り返されており、
延出部が本体長手方向に沿う長さをＬ１とし、延出部のうち第２領域と重なる領域の本体長手方向に沿う長さをＬ２としたとき、Ｌ１に対するＬ２の割合である［Ｌ２／Ｌ１］×１００の値が５０％以上１００％以下であるパンツ型吸収性物品。
【請求項２】
第１領域が少なくとも腹側部及び股下部を含む請求項１に記載のパンツ型吸収性物品。
【請求項３】
第１領域よりも坪量が低く、かつ第２領域よりも坪量が高い第３領域を更に有し、
第３領域は少なくとも腹側部を含む請求項１に記載のパンツ型吸収性物品。
【請求項４】
折曲誘導部群が、着用者の大便排泄部の位置よりも背側部側において非存在となっている請求項１ないし３のいずれか一項に記載のパンツ型吸収性物品。
【請求項５】
折曲誘導部群を構成する各折曲誘導部の幅が同じになっている請求項１ないし４のいずれか一項に記載のパンツ型吸収性物品。
【請求項６】
折曲誘導部群を構成する各折曲誘導部の長さが同じになっている請求項１ないし５のいずれか一項に記載のパンツ型吸収性物品。
【請求項７】
吸収性コアが単層構造体から構成されている請求項１ないし６のいずれか一項に記載のパンツ型吸収性物品。
【請求項８】
吸収性コアの肌対向面側及び非肌対向面側に、該吸収性コアを被覆する液透過性シートが対向配置されており、
対向配置された前記液透過性シートと、該液透過性シートの間に位置する、吸収性コアの構成材料が非存在となっている空間とで、中央折曲誘導部が画成されている請求項１ないし７のいずれか一項に記載のパンツ型吸収性物品。
【発明の詳細な説明】
【技術分野】
【０００１】
本発明はパンツ型吸収性物品に関する。
【背景技術】
【０００２】
吸収性物品の吸収体における股下部の坪量を、それ以外の部位よりも高くしたり、股下部にスリットや溝などからなる折曲誘導部を形成したりする技術が知られている。例えば特許文献１には、吸収体が、股下部における幅方向中央部に高坪量部を有し、該高坪量部の両側に該高坪量部よりも低坪量の低坪量部を有しているパンツ型使い捨ておむつが記載されている。高坪量部は、吸収体の長手方向に延びるスリット、溝又は非積繊部からなる中央折曲誘導部を有し、低坪量部は、非積繊部からなる側部折曲誘導部を有している。吸収体の長手方向における腹側部側においては、中央折曲誘導部が、側部折曲誘導部の端部位置より延出している。一方、吸収体の長手方向における背側部側においては、側部折曲誘導部が、中央折曲誘導部の端部位置より延出している。
【０００３】
特許文献２には、裏面シート側に本体吸収体を備え、表面シート側中高吸収体を備えた吸収体を有する吸収性物品が記載されている。中高吸収体は、装着者の排泄部に対向する領域に配置されており、その幅は本体吸収体よりも狭くなっている。中高吸収体はブロック状の吸収部が多数、互いに離間して規則正しく配置されてなる。中高吸収体は、隣り合うブロック状の吸収部間に、長手方向及び幅方向に規則的に形成された溝状部を有している。
【先行技術文献】
【特許文献】
【０００４】
【特許文献１】特開２０１２−０１６４３５号公報
【特許文献２】特開２０１２−１２５３６６号公報
【発明の概要】
【発明が解決しようとする課題】
【０００５】
ところで吸収体はパルプ等の親水性繊維と、吸水性ポリマーの粒子との混合積繊体から構成されることが多いところ、このような構造の吸収体が液を吸収した場合には、吸液によって吸水性ポリマーが膨潤し、そのことに起因して吸収体も膨潤する。特に、高坪量の部位においては、低坪量の部位に比べて膨潤の程度が著しくなる。また、吸収体に折曲誘導部が形成されている場合には、折曲誘導部が変形の起点として作用して、膨潤による変形が促進されやすい。膨潤して変形した吸収体は、着用者の身体を圧迫して装着感を低下させたり、吸収性物品に配されている伸縮性のギャザーの伸縮性を阻害したり、液漏れの原因となったりすることがある。したがって、吸収体における高坪量の部位の形成位置や、折曲誘導部の形成位置は、これらの不都合が生じないように留意して決定する必要がある。しかし、上述した各特許文献に記載の技術では、高坪量の部位の形成位置や折曲誘導部の形成位置が満足すべきとは言えない場合があった。
【０００６】
したがって本発明の課題は、前述した従来技術よりも各種の性能が一層向上したパンツ型吸収性物品を提供することにある。
【課題を解決するための手段】
【０００７】
本発明は、吸収性コアを含む縦長の吸収性本体と、該吸収性本体の非肌対向面側に配されて該吸収性本体と固定されている外装体とを備え、着用者の腹側に配される腹側部、股間部に配される股下部及び背側に配される背側部を有し、該外装体における該腹側部に位置する外装体腹側領域及び該背側部に位置する外装体背側領域それぞれの本体長手方向に沿う両側縁部どうしが接合されてウエスト開口部及び一対のレッグ開口部が形成されているパンツ型吸収性物品であって、
前記吸収性コアは、坪量の異なる第１領域及び第２領域を少なくとも有し、第１領域は第２領域よりも坪量が高く、
第１領域は少なくとも股下部を含み、第２領域は少なくとも背側部を含み、
第１領域は、吸収性コアの長手方向に延びる複数条の折曲誘導部からなる折曲誘導部群を有しており、
折曲誘導部群は、吸収性コアの幅方向中央域に位置する中央折曲誘導部と、該中央折曲誘導部の両側部に位置する一対の側部折曲誘導部とからなり、
折曲誘導部群は、腹側部に位置する外装体における下端部よりも股下部寄りに位置しており、背側部には該折曲誘導部群が非存在となっているパンツ型吸収性物品を提供するものである。
【発明の効果】
【０００８】
本発明によれば、排泄された液を吸収しても、吸収性コアが局所的に膨潤しにくく、液を均一に吸収して漏れが生じにくく、かつ液を吸収しても装着感が損なわれにくいパンツ型吸収性物品が提供される。
【図面の簡単な説明】
【０００９】
【図１】図１は、本発明のパンツ型吸収性物品の一実施形態であるパンツ型使い捨ておむつの一例を示す斜視図である。
【図２】図２は、図１に示すおむつを各部の弾性部材を伸長させて平面状に拡げた展開状態を示す肌当接面側（表面シート側）の平面図である。
【図３】図３は、図１に示すおむつの分解斜視図である。
【図４】図４は、図２のＩ−Ｉ線断面（本体幅方向に沿う断面）を模式的に示す断面図である。
【図５】図５（ａ）は、図１に示すおむつにおける吸収性コアの平面図であり、図５（ｂ）は、図５（ａ）におけるｂ−ｂ線断面図である。
【図６】図６（ａ）は、吸収性コアの別の形態の平面図であり、図６（ｂ）、図６（ｃ）及び図６（ｄ）は、図６（ａ）におけるｂ−ｂ線、ｃ−ｃ線及びｄ−ｄ線断面図である。
【図７】図７は、本発明のパンツ型吸収性物品の別の実施形態を、各部の弾性部材を伸長させて平面状に拡げた展開状態を示す肌当接面側（表面シート側）の平面図である。
【発明を実施するための形態】
【００１０】
以下、本発明のパンツ型吸収性物品を、その好ましい一実施形態であるパンツ型使い捨ておむつに基づき図面を参照して説明する。本実施形態のパンツ型使い捨ておむつ１は、図１ないし図３に示すように、吸収性コア５を含む縦長の吸収性本体２と、該吸収性本体２の非肌対向面側に配されて該吸収性本体２を固定している外装体３とを備え、着用時に着用者の腹側に配される腹側部Ａ及び背側に配される背側部Ｂ並びにそれらの間に位置し着用者の股間部に配される股下部Ｃを本体長手方向Ｘに有し、外装体３における腹側部Ａに位置する外装体腹側領域（後述する腹側シート部材３１）及び背側部Ｂに位置する外装体背側領域（後述する背側シート部材３２）それぞれの本体長手方向Ｘに沿う両側縁部３ｓ，３ｓどうしが接合されて一対のサイドシール部Ｓ，Ｓ、ウエスト開口部ＷＯ及び一対のレッグ開口部ＬＯ，ＬＯが形成されている。
【００１１】
なお、本明細書において、肌対向面は、パンツ型吸収性物品及びその構成部材（例えば吸収性本体、吸収性コア）における着用時に着用者の肌側に向けられる面であり、非肌対向面は、パンツ型吸収性物品及びその構成部材における着用時に着用者の肌側とは反対側（ショーツ等の着衣側）に向けられる面である。また、本体長手方向は、縦長の吸収性本体の長手方向であり、本体幅方向は、該本体長手方向と直交する方向である。
【００１２】
吸収性本体２は、該吸収性本体２の肌対向面を形成する液透過性の表面シート２１、該吸収性本体２の非肌対向面を形成する液不透過性又は液難透過性の裏面シート２２、及び両シート２１，２２間に介在配置された液保持性の吸収体２３を含んで構成されており、Ｘ方向に長い矩形形状に形成されている。
【００１３】
吸収体２３は、パルプ繊維等の親水性繊維の積繊体を主体とする吸収性コア５と、該吸収性コア５を被覆するコアラップシート（図示せず）とを含んで構成されている。吸収性コア５には、必要に応じ吸水性ポリマーの粒子が含有される。吸収性コア５に吸水性ポリマーの粒子が含有される場合には、パルプ繊維等の親水性繊維と吸水性ポリマーの粒子とを、両者の混合積繊体とすることができる。あるいは、パルプ繊維等の親水性繊維の積繊体におけるいずれかの部位に、吸水性ポリマーの粒子を層状に配置することもできる。
【００１４】
表面シート２１、裏面シート２２及び吸収体２３は、いずれもＸ方向に長い矩形形状であり、表面シート２１及び裏面シート２２が、吸収体２３の長手方向Ｘの両端それぞれから長手方向Ｘの外方に延出した部分において接合され、Ｘ方向に長い矩形形状の吸収性本体２が形成される。
【００１５】
図２及び図４に示すように、吸収性本体２には、その肌対向面における本体長手方向Ｘに沿う左右両側部に、本体長手方向Ｘに沿って一対の立体ギャザー４，４が配されている。各立体ギャザー４は、着用時に少なくとも股下部Ｃにおいて、着用者の肌側に向かって起立する。各立体ギャザー４は、液抵抗性ないし撥水性の立体ギャザー形成用シート材５１と、該シート材５１に固定された立体ギャザー形成用弾性部材５２とを含んで構成されている。シート材５１は、１枚の帯状シートから形成されており、該シート材５１の本体幅方向Ｙの一端部は、吸収性本体２の吸収体２３と裏面シート２２との間に配され、接着剤（図示せず）によって固定されている。一方、該シート材５１の本体幅方向Ｙの他端部は、吸収体２３の上方において、本体長手方向Ｘに延びる折曲線（図示せず）にて本体幅方向Ｙの外方側に折り返され、その折り返しによって相対向したシート間に、弾性部材５２が本体長手方向Ｘに伸長した状態で接着剤を介して固定されて、立体ギャザー４が形成されている。
【００１６】
外装体３は、シート材３５，３６と、該シート材３５，３６に固定された複数本の外装体形成用弾性部材３３とを含んで構成されている。本実施形態における外装体３は、図１ないし図３に示すように、着用時に着用者の腹側に配される腹側シート部材３１を含んでいる。また外装体３は、着用時に着用者の背側に配される背側シート部材３２を含んでいる。両シート部材３１，３２は股下部Ｃを挟んで分割されている。腹側シート部材３１と、背側シート部材３２とは、長手方向Ｘ及び幅方向Ｙに沿う長さが同じになっている。また、背側シート部材３２に関しては、該背側シート部材３２の長手方向の下端部３２Ａから、更に長手方向の下方側に延出した後身頃延出域３２Ｅが連設されている。つまり、背側シート部材３２と後身頃延出域３２Ｅとの境界部が、背側シート部材３２における下端部３２Ａとなる。以下の説明では、背側シート部材３２及び後身頃延出域３２Ｅからなる部材のことを「後身頃部材３２Ｆ」とも言う。
【００１７】
本実施形態のパンツ型使い捨ておむつ１は、着用者の腹側に配される腹側シート部材３１（外装体腹側領域）と、着用者の背側に配される背側シート部材３２（外装体背側領域）と、両シート部材３１，３２に架け渡して固定された縦長の吸収性本体２とを備え、両シート部材３１，３２それぞれの本体長手方向Ｘに沿う両側縁部３ｓ，３ｓどうしが接合されて一対のサイドシール部Ｓ，Ｓ、ウエスト開口部ＷＯ及び一対のレッグ開口部ＬＯ，ＬＯが形成されている。サイドシール部Ｓでは、腹側シート部材３１と背側シート部材３２とが、接着剤、ヒートシール、高周波シール、超音波シール等の公知の接合手段によって接合されている。
【００１８】
腹側シート部材３１及び背側シート部材３２の両側縁部３ｓ，３ｓどうしを接合して一対のサイドシール部Ｓ，Ｓを形成するに際しては、腹側シート部材３１の長手方向の外方側端縁３１’と、背側シート部材３２の長手方向の外方側端縁３２’の位置を一致させて、両シート部材３１，３２の両側縁部３ｓ，３ｓどうしを接合する。このようにして両シート部材３１，３２の両側縁部３ｓ，３ｓどうしを接合すると、腹側シート部材３１の長手方向Ｘに沿う下端部３１Ａの位置と、背側シート部材３２の長手方向Ｘに沿う下端部３２Ａの位置とが一致する。更にこれらのシート部材３１，３２の下端部３１Ａ，３２Ａから、換言すればサイドシール部４の下端から、下方に向けて後身頃延出域３２Ｅが垂下する。このように、腹側シート部材３１及び背側シート部材３２の下端部３１Ａ，３２Ａの位置は、サイドシール部４の下端部の位置と一致する。つまり、腹側シート部材３１及び背側シート部材３２の下端部３１Ａ，３２Ａとは、両シート部材３１，３２それぞれの本体長手方向Ｘに沿う両側縁部３ｓ，３ｓどうしが接合されて一対のサイドシール部Ｓ，Ｓが形成されたときの、該サイドシール部Ｓの下端の位置のことである。そして本発明においては、腹側シート部材３１における左右の下端部３１Ａを結んだ線を、腹側部Ａと股下部Ｃとの境界部と定義する。また、背側シート部材３２における左右の下端部３２Ａを結んだ線を、背側部Ｂと股下部Ｃとの境界部と定義する。したがって、後身頃部材３２Ｆのうち、後身頃延出域３２Ｅは、股下部Ｃに位置することになる。
【００１９】
腹側シート部材３１及び背側シート部材３２は、それぞれ、その非肌対向面（おむつ１の外面）を形成する外層シート材３５と、該外層シート材３５の内面側に配された内層シート材３６と、両シート材３５，３６間に接着剤（図示せず）により固定された複数本の糸状又は帯状の弾性部材３３とを含んで構成されており、図２に示す如きおむつ１の展開状態において、本体幅方向Ｙに長い矩形形状をなしている。両シート材３５，３６間は、所定部位において接着剤（図示せず）によって接合されている。腹側シート部材３１及び後身頃部材３２Ｆにおいては、それぞれ図２に示すように、複数本の弾性部材３３は、本体幅方向Ｙに沿って略直線状に配され、本体幅方向Ｙに伸長した状態で、本体長手方向Ｘに所定間隔を置いて配されている。
【００２０】
外層シート材３５は、図３に示すように、その本体幅方向Ｙの長さは内層シート材３６のそれと同じであるが、本体長手方向Ｘの長さは内層シート材３６のそれよりも長い。そのことに起因して、外層シート材３５は、内層シート材３６の本体長手方向Ｘの外方端３６ａから本体長手方向Ｘの外方へ延出する、延出部３５Ｅを有している。腹側シート部材３１及び後身頃部材３２Ｆの外層シート材３５の延出部３５Ｅは、図２に示すように、内層シート材３６側に折り返されており、その折り返しによって相対向したシート３５（３５Ｅ），３６間に、吸収性本体２の本体長手方向Ｘの端部が配されている。相対向するシート３５（３５Ｅ），３６間は、所定の部位において接着剤（図示せず）によって接合されている。
【００２１】
腹側部Ａ（腹側シート部材３１）及び背側部Ｂ（背側シート部材３２）それぞれにおけるウエスト部Ｄには、外層シート材３５と内層シート材３６との間に弾性部材３３が伸長状態で固定されていることによって、ウエストギャザーが形成されている。腹側部Ａのウエスト部Ｄの弾性部材３３及び背側部Ｂのウエスト部Ｄの弾性部材３３は、図３に示すように、腹側部Ａ又は背側部Ｂの本体幅方向Ｙの全長にわたって連続的に延びており、その全体にわたって、本来有する伸縮性を発現可能になされている。ウエスト部Ｄは、着用者の腰回りに位置する部位であり、通常、おむつ１の腹側部Ａにおける本体長手方向Ｘの外方端１ａ及びおむつ１の背側部Ｂにおける本体長手方向Ｘの外方端１ｂそれぞれから該おむつ１の本体長手方向Ｘの全長の１〜１５％の長さまでの領域である。
【００２２】
また、腹側部Ａ（腹側シート部材３１）及び背側部Ｂ（背側シート部材３２）それぞれにおける胴回り部Ｅには、外層シート材３５と内層シート材３６との間に弾性部材３４が伸長状態で固定されていることによって、胴回りギャザーが形成されている。腹側部Ａの胴回り部Ｅは、図２に示すようにおむつ１を、その各部の弾性部材を伸長させて平面状に拡げた展開状態とし、腹側部Ａを上側、背側部Ｂを下側と考えた場合に、ウエスト部Ｄよりも下方に位置しかつ股下部Ｃよりも上方に位置する領域である。背側部Ｂの胴回り部Ｅは、おむつ１を図２に示すものとは上下逆にした場合に、ウエスト部Ｄよりも下方に位置しかつ背側延出域３２Ｅよりも上方に位置する領域である。更に、股下部Ｃに位置する部材である後身頃延出域３２Ｅにおいては、外層シート材３５と内層シート材３６との間に延出域弾性部材３７が伸長状態で固定されていることによって、延出部ギャザーが形成されている。
【００２３】
腹側部Ａ（腹側シート部材３１）及び背側部Ｂ（背側シート部材３２）並びに後身頃延出域３２Ｅにおいては、胴回り部Ｅの弾性部材３４及び延出域弾性部材３７が、図３に示すように、吸収性本体２（吸収性コア５）と重なる部分に配されていない。したがって、腹側部Ａ及び背側部Ｂの胴回り部Ｅ並びに後身頃延出域３２Ｅにおいては、吸収性本体２の配置領域を除く、本体長手方向Ｘに沿う左右両側部に、一対の胴回りギャザー及び延出域ギャザーが形成されている。このような弾性部材３４，３７の配置形態に代えて、弾性部材３４，３７が吸収性本体２に重なるように、腹側部Ａ及び背側部Ｂの本体幅方向Ｙの全域にわたって該弾性部材３４，３７を配置するとともに、該弾性部材３４，３７が吸収性本体２と重なる部位において、該弾性部材３４，３７の伸縮性を抑制する処理を施してもよい。そのような処理としては、例えば弾性部材３４，３７を腹側シート部材３１及び背側シート部材３２並びに後身頃延出域３２Ｅに配置した後に、細かく切断する方法が挙げられる。あるいは、接着剤等を用いた接合によって弾性部材３４，３７が伸縮しないように規制する方法が挙げられる。これらの処理によって、弾性部材３４，３７が吸収性本体２と重なる部位においては該弾性部材３４，３７は伸縮しないが、該部位以外の他の部分（吸収性本体２の本体幅方向Ｙの外方に位置する部分）は伸縮が維持される。
【００２４】
このように、胴回り部Ｅ及び後身頃延出域３２Ｅに配された弾性部材３４，３７が、吸収性本体２（吸収性コア５）と重なる部分で伸縮性が抑制されていることによって、吸収性本体２に縦皺を生じさせることなく吸収性本体２の本体長手方向Ｘの端部を着用者の身体に沿わせることが可能となり、それによって、液漏れが効果的に防止される。これとともに、吸収性本体２に生じた皺の頂部が肌に当たることに起因する跡付き等の不都合が効果的に防止される。
【００２５】
図５には、本実施形態のパンツ型使い捨ておむつ１に備えられた吸収性コア５が示されている。吸収性コア５は、おむつ１に対応して腹側部Ａ、背側部Ｂ及び股下部Ｃを有している。腹側部Ａは、吸収性コア５が腹側シート部材３１と重なっている領域である。背側部Ｂは、後身頃部材３２Ｆのうち、背側シート部材３２と吸収性コア５とが重なっている領域である。股下部Ｃは、腹側シート部材３１の下端部３１Ａと、背側シート部材３２の下端部３２Ａとの間の領域である。股下部Ｃは、後身頃部材３２Ｆのうち、後身頃延出域３２Ｅを含んでいる。
【００２６】
吸収性コア５は、坪量の異なる第１領域４１及び第２領域４２の２つの領域を有している。第１領域４１は少なくとも股下部Ｃを含み、更に少なくとも腹側部Ａも含んでいる。一方、第２領域４２は少なくとも背側部Ｂを含んでいる。「第１領域４１は少なくとも股下部Ｃを含み」とは、第１領域４１が股下部Ｃを含み、更にそれ以外の領域、例えば背側部Ｂを含んでいてもよいことを意味する。また、「第２領域４２は少なくとも背側部Ｂを含み」とは、第２領域４２が背側部Ｂを含み、更にそれ以外の領域、例えば股下部Ｃを含んでいてもよいことを意味する。
【００２７】
吸収性コア５は平面視して縦長の略矩形の形状をしている。吸収性コア５の長手方向は、本体長手方向Ｘと一致している。吸収性コア５をその本体長手方向Ｘに沿って見たとき、第１領域４１は第２領域４２よりも坪量が高くなっている。本体幅方向Ｙに沿って見たとき、第１領域４１の坪量はいずれの部位でも同じになっている（ただし、後述する折曲誘導群を除く。）。同様に、本体幅方向Ｙに沿って見たとき、第２領域４２の坪量はいずれの部位でも同じになっている。
【００２８】
高坪量の第１領域４１を股下部Ｃ及び腹側部Ａを含むように形成し、かつ低坪量の第２領域４２を背側部Ｂを含むように形成することで、排泄された液を吸収性コア５が吸収して膨潤したときに、低坪量の第２領域４２の膨潤の程度を抑制することができる。その結果、吸収性コア５の膨潤に起因する着用者の腰部への圧迫を抑制することができる。このことは、着用者が仰向けで寝ている場合に特に有利となる。特に、先に述べた背側シート部材３２を構成する外層シート材３５における延出部３５Ｅ（図２及び図３参照）が本体長手方向Ｘに沿う長さをＬ１とし、また、延出部３５Ｅのうち第２領域４２と重なる領域の本体長手方向Ｘに沿う長さをＬ２としたとき、Ｌ１に対するＬ２の割合である［Ｌ２／Ｌ１］×１００の値が５０％以上１００％以下、とりわけ６０％以上１００％以下であると、第２領域４２が一層膨潤しにくくなり、おむつ１の装着状態において違和感が一層発生しづらくなるので好ましい。
【００２９】
以上の有利な効果を一層顕著なものとする観点から、第１領域４１の坪量は、第２領域４２の坪量に対して１２０％以上であることが好ましく、１４０％以上であることが更に好ましい。また２５０％以下であることが好ましく、２３０％以下であることが更に好ましい。例えば第１領域４１の坪量は、第２領域４２の坪量に対して１２０％以上２５０％以下であることが好ましく、１４０％以上２３０％以下であることが更に好ましい。
【００３０】
同様に、以上の有利な効果を一層顕著なものとする観点から、第１領域４１の長さは、吸収性コア５の全長の５０％以上であることが好ましく、６０％以上であることが更に好ましく、７０％以上であることが一層好ましい。また９０％以下であることが好ましく、８５％以下であることが更に好ましく、８０％以下であることが一層好ましい。例えば第１領域４１の長さは、吸収性コア５の全長の５０％以上９０％以下であることが好ましく、６０％以上８５％以下であることが更に好ましく、７０％以上８０％以下であることが一層好ましい。一方、第２領域４２の長さは、吸収性コア５の全長の１０％以上５０％以下であることが好ましく、１５％以上４０％以下であることが更に好ましく、２０％以上３０％以下であることが一層好ましい。
【００３１】
第１領域４１の坪量と第２領域４２の坪量との比率は上述のとおりであるところ、低坪量領域である第２領域４２の坪量そのものの値は１００ｇ／ｍ２以上であることが好ましく、１５０ｇ／ｍ２以上であることが更に好ましく、２００ｇ／ｍ２以上であることが一層好ましい。また６００ｇ／ｍ２以下であることが好ましく、５５０ｇ／ｍ２以下であることが更に好ましく、５００ｇ／ｍ２以下であることが一層好ましい。例えば第２領域４２の坪量は、１００ｇ／ｍ２以上６００ｇ／ｍ２以下であることが好ましく、１５０ｇ／ｍ２以上５５０ｇ／ｍ２以下であることが更に好ましく、２００ｇ／ｍ２以上５００ｇ／ｍ２以下であることが一層好ましい。一方、第１領域４１の坪量は、第１領域４１の坪量と第２領域４２の坪量との比率が上述の範囲内であることを条件として、１５０ｇ／ｍ２以上９００ｇ／ｍ２以下であることが好ましく、２００ｇ／ｍ２以上８５０ｇ／ｍ２以下であることが更に好ましく、２５０ｇ／ｍ２以上８００ｇ／ｍ２以下であることが一層好ましい。
【００３２】
上述した第１領域４１と第２領域４２との坪量の大小関係は、吸収性コア５の全体について測定された坪量を比較したものであるところ、吸収性コア５を構成するパルプ繊維等の親水性繊維の坪量及び吸水性ポリマーの坪量に関しても、第１領域４１は第２領域４２よりも高いことが好ましい。つまり第１領域４１を構成する親水性繊維の坪量は、第２領域４２を構成する親水性繊維の坪量よりも高いことが好ましい。また、第１領域４１を構成する吸水性ポリマーの坪量は、第２領域４２を構成する吸水性ポリマーの坪量よりも高いことが好ましい。このような坪量関係にすることで、排尿点付近の吸収容量を向上でき、液漏れ防止に効果があるだけでなく、ゲルブロッキングを抑制できるので好ましい。
【００３３】
第１領域４１と第２領域４２とでは、坪量の差に起因する厚みの差が生じていてもよく、あるいは生じていなくてもよい。坪量の差に起因する厚みの差、つまり段差が両領域４１，４２の間で生じているか否かは本発明の有利な効果を奏する上で臨界的ではない。両領域４１，４２の間で段差が生じているか否かを問わず、吸収性コア５は単一構造体から構成されていることが好ましい。「単一構造体」とは、吸収性コア５を構成するパルプ繊維等の親水性繊維及び吸水性ポリマーの粒子を含む積繊体が単層構造からなることを言う。２種以上の積繊体を積層した複数層の構造体は、本発明に言う単一構造体に含まれない。坪量の異なる第１領域４１及び第２領域４２を有する吸収性コア５を単一構造体から構成することで、該吸収性コア５には層間の界面が非存在となるので、厚み方向に沿った液の拡散が円滑に行われるという利点が生じる。これに対して、複数層の構造体から吸収性コア５を構成すると、層間の界面が、厚み方向に沿った液の拡散を阻害しやすい傾向にある。尤も、本発明において吸収性コア５が複数層の構造体から構成されていることは妨げられない。
【００３４】
吸収性コア５に含まれるパルプ繊維等の親水性繊維と吸水性ポリマーとの比率は、親水性繊維：吸水性ポリマーの質量比で表して、１：０．５以上であることが好ましく、１：０．８以上であることが更に好ましい。また１：２．５以下であることが好ましく、１：２以下であることが更に好ましい。例えば親水性繊維：吸水性ポリマーの質量比は１：０．５以上１：２．５以下であることが好ましく、１：０．８以上１：２以下であることが更に好ましい。第１領域４１と第２領域４２とで、親水性繊維と吸水性ポリマーとの比率は同じでもよく、あるいは異なっていてもよい。後述する実施例のように、両領域４１，４２におけるこの比率が異なっていると、排尿点付近に十分な吸収性ポリマーを分散できるので、液漏れ防止に有用となり好ましい。両領域４１，４２におけるこの比率を異ならせるためには、例えば公知の積繊機を用いて吸収性コア５を製造するときの吸引条件を適切に設定すればよい。
【００３５】
図５に示すとおり、第１領域４１は、本体長手方向Ｘに延びる複数条の折曲誘導部５１，５２ａ，５２ｂからなる折曲誘導部群５０を有している。折曲誘導部群５０は、本体幅方向Ｙの中央域に位置する中央折曲誘導部５１と、中央折曲誘導部５１の両側部に位置する一対の側部折曲誘導部５２ａ，５２ｂとからなる。中央折曲誘導部５１は、吸収性コア５の本体幅方向Ｙの中央域に位置しているとともに、おむつ１の本体幅方向Ｙの中央域に位置している。各側部折曲誘導部５２ａ，５２ｂは、中央折曲誘導部５１と平行に延びている。また各側部折曲誘導部５２ａ，５２ｂと中央折曲誘導部５１との距離は同じになっている。したがって、各側部折曲誘導部５２ａ，５２ｂは、おむつ１の本体長手方向Ｘに延びる縦中心線（図示せず）に対して対称の位置に形成されている。
【００３６】
本実施形態においては、図５に示すとおり三条の折曲誘導部５１，５２ａ，５２ｂからなる折曲誘導部群５０を採用している。しかし折曲誘導部の本数はこれに限られない。例えば一条の中央折曲誘導部５１に対して、該中央折曲誘導部５１の両側部の位置に、対称に二条以上の側部折曲誘導部を形成することができる。尤も、本発明の効果が確実に奏されるようにするためには、本実施形態のように三条の折曲誘導部を形成することが好ましい。
【００３７】
各折曲誘導部５１，５２ａ，５２ｂは、おむつ１を装着した状態において、該おむつ１に外力が加わったときに、吸収性コア５の変形の起点ないし可撓軸として作用する部位である。この目的のために、各折曲誘導部５１，５２ａ，５２ｂは、例えば本体長手方向Ｘに延びるスリット、溝又は非積繊部からなる。スリットとは、吸収性コア５の厚み方向に向けて切り込みを入れた部位のことであり、幅を有していない。溝とは、底部を有する所定幅の細長い凹部のことである。非積繊部とは、溝から底部を除去したものであり、吸収性コア５を構成するパルプ繊維等の積繊体が存在していない部位のことである。吸収性コア５の変形を首尾よく行う観点からは、中央折曲誘導部５１をスリット、溝又は非積繊部から構成するとともに、側部折曲誘導部５２ａ，５２ｂを溝又は非積繊部から構成することが好ましい。図５（ｂ）に示すとおり、本実施形態では各折曲誘導部５１，５２ａ，５２ｂは吸収性コア５の厚み方向全域を貫通する非積繊部から構成されている。各折曲誘導部５１，５２ａ，５２ｂがいずれの形態であっても、それらの幅、すなわち本体幅方向Ｙに沿った長さは、本体長手方向Ｘのいずれの位置においても同じであることが好ましい。
【００３８】
折曲誘導部群５０を構成する折曲誘導部５１，５２ａ，５２ｂは、それらの幅が同じでもよく、あるいは異なっていてもよい。特に各折曲誘導部５１，５２ａ，５２ｂの幅が同じであると、排泄された液が吸収コア５内で均一に、かつ素早く拡散しやすくなり、吸収性コア５の全領域を液吸収のために有効活用できるので好ましい。この利点を一層顕著にする観点から、各折曲誘導部５１，５２ａ，５２ｂの幅は、１ｍｍ以上であることが好ましく、３ｍｍ以上であることが更に好ましい。また、２０ｍｍ以下であることが好ましく、１５ｍｍ以下であることが更に好ましい。例えば各折曲誘導部５１，５２ａ，５２ｂの幅は、１ｍｍ以上２０ｍｍ以下であることが好ましく、３ｍｍ以上１５ｍｍ以下であることが更に好ましい。
【００３９】
折曲誘導部群５０を構成する折曲誘導部５１，５２ａ，５２ｂは、本体幅方向Ｙに沿った長さが同じでもよく、あるいは異なっていてもよい。特に各折曲誘導部５１，５２ａ，５２ｂの長さが同じであると、排泄された液が吸収コア５内で均一に、かつ素早く拡散しやすくなり、吸収性コア５の全領域を液吸収のために有効活用できるので好ましい。この利点を一層顕著にする観点から、各折曲誘導部５１，５２ａ，５２ｂの長さは、５０ｍｍ以上であることが好ましく、１００ｍｍ以上であることが更に好ましい。また、３５０ｍｍ以下であることが好ましく、３００ｍｍ以下であることが更に好ましい。例えば各折曲誘導部５１，５２ａ，５２ｂの長さは、５０ｍｍ以上３５０ｍｍ以下であることが好ましく、１００ｍｍ以上３００ｍｍ以下であることが更に好ましい。
【００４０】
各折曲誘導部５１，５２ａ，５２ｂの長さが同じである場合、それらの腹側部Ａ側の端部の位置は同じでもよく、あるいは異なっていてもよい。同様に、背側部Ｂ側の端部の位置は同じでもよく、あるいは異なっていてもよい。図５に示す実施形態においては、各折曲誘導部５１，５２ａ，５２ｂの腹側部Ａ側の端部の位置は同じであり、したがって背側部Ｂ側の端部の位置も同じになっている。
【００４１】
折曲誘導部群５０は、腹側部Ａに位置する外装体である腹側シート部材３１における下端部３１Ａよりも股下部Ｃ寄りに位置している。更に折曲誘導部群５０は、背側部において非存在となっている。つまり折曲誘導部群５０は、腹側シート部材３１の下端部３１Ａと、背側シート部材３２の下端部３２Ａとの間にのみ位置している。折曲誘導部群５０をこのような位置に配置することによって、吸収性コア５による液の吸収力と、吸収性コア５における液の良好な拡散性と、おむつ１の良好な装着感とのバランスを図ることができる。特に、各折曲誘導部５１，５２ａ，５２ｂの端部のうち、背側シート部材３２側の端部Ｔ１（図５参照）と、吸収性コア５における第２領域４２と第１領域４１との境界位置Ｔ２（図５参照）との間の距離を、５ｍｍ以上５０ｍｍ以下、特に１０ｍｍ以上４５ｍｍ以下に設定すると、高坪量領域である第１領域４１のみでの液の拡散が起こりやすくなるので好ましい。その結果、吸収性コア５が屈曲変形しやすくなり、おむつ１の装着感が一層良好になる。
【００４２】
特に、折曲誘導部群５０が、着用者の大便排泄部の位置よりも背側部Ｂ側において非存在となっていると、排泄された便が着用者の肌に付着しづらくなるので好ましい。「背側部Ｂ側において非存在」とは、折曲誘導部群５０を構成するすべての折曲誘導部における背側部Ｂ側の端部の位置が、着用者の大便排泄部の位置よりも腹側部Ａ側に偏倚していることを言う。
【００４３】
先に述べたとおり、吸収性コア５は、その表面の全域がコアラップシートなどの液透過性シートによって被覆されている。その結果、吸収性コアの肌対向面側及び非肌対向面側に、液透過性シートが対向配置された状態になっている。そして、対向配置された液透過性シートと、該液透過性シートの間に位置する、吸収性コア５の構成材料が非存在となっている空間とで、中央折曲誘導部５１及び側部折曲誘導部５２ａ，５２ｂが画成されている。換言すれば、中央折曲誘導部５１及び側部折曲誘導部５２ａ，５２ｂは閉じた空間になっている。このような構成を採用することで、排泄された液を吸収性コア５が吸収して、吸水性ポリマーが膨潤したとしても、膨潤による体積の増加分が該空間によって吸収されるので、吸水性ポリマーの膨潤阻害が起こりにくくなるという有利な効果が奏される。しかも該空間は閉じた空間なので、膨潤した吸水性ポリマーがおむつ１の外に脱落するおそれもない。
【００４４】
本実施形態のおむつ１に用いられる吸収性コア５は、例えば周面に凹部が形成された積繊ドラムを用い、該凹部内にパルプ繊維等の親水性繊維及び吸水性ポリマーの粒子を堆積させて積繊体を製造するときに、該凹部の底部を構成する通気性部材のうち、低坪量領域である第２領域４２となるべき部位を低通気性とすることで製造できる。これによって、第１領域４１及び第２領域４２を首尾よく形成することができる。折曲誘導部群５０は、前記の通気性部材のうち、折曲誘導部群５０を構成する各折曲誘導部５１，５２ａ，５２ｂの形成予定部の位置を非通気の非積繊部位とすればよい。
【００４５】
図６には、本発明の別の実施形態で用いられる吸収性コア５が示されている。なお、同図に関し特に説明しない点については、先に述べた図５に関して詳述した説明が適宜適用される。また、図６において図５と同じ部材には同じ符号を付してある。本実施形態の吸収性コア５も、おむつ１に対応して腹側部Ａ、背側部Ｂ及び股下部Ｃを有している。図５に示す実施形態の吸収性コアが、坪量の異なる第１領域４１及び第２領域４２の２つの領域を有しているのに対して、図６に示す実施形態の吸収性コア５は、第１領域４１及び第２領域４２に加えて、第１領域４１よりも坪量が低く、かつ第２領域４２よりも坪量が高い第３領域４３を更に有している。第１領域４１は少なくとも股下部Ｃを含んでいる。第２領域４２は少なくとも背側部Ｂを含んでいる。そして第３領域４３は少なくとも腹側部Ａを含んでいる。「第３領域４３は少なくとも腹側部Ａを含み」とは、第３領域４３が腹側部Ａを含み、更にそれ以外の領域、例えば股下部Ｃを含んでいてもよいことを意味する。
【００４６】
吸収性コア５は、これを本体幅方向Ｙに沿って見たとき、第１領域４１の坪量はいずれの部位でも同じになっている（ただし、折曲誘導群５０を除く。）。同様に、本体幅方向Ｙに沿って見たとき、第２領域４２及び第３領域４３の坪量はいずれの部位でも同じになっている。
【００４７】
高坪量の第１領域４１を股下部Ｃを含むように形成し、低坪量の第２領域４２を背側部Ｂを含むように形成し、かつ中坪量の第３領域４３を腹側部Ａを含むように形成することで、排泄された液を吸収性コア５が吸収して膨潤したときに、低坪量の第２領域４２の膨潤の程度、及び中坪量の第３領域４３の膨潤の程度を抑制することができる。その結果、吸収性コア５が膨潤に起因する着用者の腰部及び腹部への圧迫を抑制することができる。このことは、着用者がうつ伏せで寝ている場合に特に有利となる。
【００４８】
以上の有利な効果を一層顕著なものとする観点から、第３領域４３の坪量は、第２領域４２の坪量に対して１０５％以上であることが好ましく、１１０％以上であることが更に好ましい。また２００％以下であることが好ましく、１８０％以下であることが更に好ましい。例えば第３領域４３の坪量は、第２領域４２の坪量に対して１０５％以上２００％以下であることが好ましく、１１０％以上１８０％以下であることが更に好ましい。更に、第３領域４３の坪量は、第１領域４１の坪量に対して５０％以上であることが好ましく、６０％以上であることが更に好ましい。また９５％以下であることが好ましく、８５％以下であることが更に好ましい。例えば第３領域４３の坪量は、第１領域４１の坪量に対して５０％以上９５％以下であることが好ましく、６０％以上８５％以下であることが更に好ましい。
【００４９】
同様に、以上の有利な効果を一層顕著なものとする観点から、第１領域４１の長さは、吸収性コア５の全長の４０％以上であることが好ましく、４５％以上であることが更に好ましく、５０％以上であることが一層好ましい。また８０％以下であることが好ましく、７５％以下であることが更に好ましく、７０％以下であることが一層好ましい。例えば第１領域４１の長さは、吸収性コア５の全長の４０％以上８０％以下であることが好ましく、４５％以上７５％以下であることが更に好ましく、５０％以上７０％以下であることが一層好ましい。一方、第２領域４２の長さは、吸収性コア５の全長の１０％以上５０％以下であることが好ましく、１５％以上４０％以下であることが更に好ましい。更に、第３領域４３の長さは、吸収性コア５の全長の２．５％以上３０％以下であることが好ましく、５％以上２０％以下であることが更に好ましい。
【００５０】
第３領域４３の坪量と、第１領域４１の坪量及び第２領域４２の坪量との比率は上述のとおりであるところ、中坪量領域である第３領域４３の坪量そのものの値は１２５ｇ／ｍ２以上であることが好ましく、２００ｇ／ｍ２以上であることが更に好ましい。また８００ｇ／ｍ２以下であることが好ましく、７５０ｇ／ｍ２以下であることが更に好ましい。例えば第３領域４３の坪量は、１２５ｇ／ｍ２以上８００ｇ／ｍ２以下であることが好ましく、２００ｇ／ｍ２以上７５０ｇ／ｍ２以下であることが更に好ましい。一方、第１領域４１の坪量及び第２領域４２の坪量は、図５に示す実施形態の場合と同様である。
【００５１】
上述した第１領域４１と第２領域４２と第３領域４３との坪量の大小関係は、吸収性コア５の全体について測定された坪量を比較したものであるところ、吸収性コア５を構成するパルプ繊維等の親水性繊維の坪量及び吸水性ポリマーの坪量に関しても、第２領域４２、第３領域４３、第１領域４１の順で高くなっていることが好ましい。このような坪量関係にすることで、排尿点付近の吸収容量を向上でき、液漏れ防止に効果があるだけでなく、ゲルブロッキングを抑制できるので好ましい。
【００５２】
第１領域４１と第２領域４２との間、及び第１領域４１と第３領域４３との間では、坪量の差に起因する厚みの差が生じていてもよく、あるいは生じていなくてもよい。坪量の差に起因する厚みの差、つまり段差が領域４１，４２の間及び領域４１，４３の間で生じているか否かは本発明の有利な効果を奏する上で臨界的ではない。このような段差が生じているか否かを問わず、本実施形態においても吸収性コア５は単一構造体から構成されていることが好ましい。吸収性コア５を単一構造体から構成することの利点は、図５に示す実施形態の場合と同様である。
【００５３】
本実施形態においても、吸収性コア５は、その第１領域４１に、本体長手方向Ｘに延びる複数条の折曲誘導部５１，５２ａ，５２ｂからなる折曲誘導部群５０を有している。折曲誘導部群５０は、腹側部Ａに位置する外装体である腹側シート部材３１における下端部３１Ａよりも股下部Ｃ寄りに位置している。更に折曲誘導部群５０は、背側部において非存在となっている。その結果、折曲誘導部群５０は、腹側シート部材３１の下端部３１Ａと、背側シート部材３２の下端部３２Ａとの間にのみ位置している。このような構成の折曲誘導部群５０を採用することで、図５に示す実施形態の場合と同様の有利な効果が奏される。
【００５４】
図７には、これまでに説明してきたおむつと構成の異なるパンツ型使い捨ておむつ１が示されている。これまでに説明してきたおむつは、外装体３が、腹側シート部材３１と背側シート部材３２とに分割されていたが、同図に示すおむつ１では、外装体３が、腹側部Ａから股下部Ｃを経て背側部Ｂまでにわたって配されている。同図に示すおむつ１における吸収性コア５は、図５に示す構造のものである。これに代えて、図６に示す構成の吸収性コア５を採用してもよい。本実施形態のおむつにおいても、これまで説明してきた実施形態のおむつと同様の有利な効果が奏される。
【００５５】
以上、本発明をその好ましい実施形態に基づき説明したが、本発明は前記実施形態に制限されず、当業者の通常の知識の範囲内で適宜変更が可能である。例えば前記実施形態においては、背側シート部材３２の下端部３２Ａから延出する後身頃延出域３２Ｅが形成されていたが、この後身頃延出域３２Ｅを形成しなくてもよい。
【００５６】
上述した実施形態に関し、本発明は更に以下のパンツ型吸収性物品を開示する。
＜１＞
吸収性コアを含む縦長の吸収性本体と、該吸収性本体の非肌対向面側に配されて該吸収性本体と固定されている外装体とを備え、着用者の腹側に配される腹側部、股間部に配される股下部及び背側に配される背側部を有し、該外装体における該腹側部に位置する外装体腹側領域及び該背側部に位置する外装体背側領域それぞれの本体長手方向に沿う両側縁部どうしが接合されてウエスト開口部及び一対のレッグ開口部が形成されているパンツ型吸収性物品であって、
前記吸収性コアは、坪量の異なる第１領域及び第２領域を少なくとも有し、第１領域は第２領域よりも坪量が高く、
第１領域は少なくとも股下部を含み、第２領域は少なくとも背側部を含み、
第１領域は、吸収性コアの長手方向に延びる複数条の折曲誘導部からなる折曲誘導部群を有しており、
折曲誘導部群は、吸収性コアの幅方向中央域に位置する中央折曲誘導部と、該中央折曲誘導部の両側部に位置する一対の側部折曲誘導部とからなり、
折曲誘導部群は、腹側部に位置する外装体における下端部よりも股下部寄りに位置しており、背側部には該折曲誘導部群が非存在となっているパンツ型吸収性物品。
【００５７】
＜２＞
第１領域が少なくとも腹側部及び股下部を含む前記＜１＞に記載のパンツ型吸収性物品。
＜３＞
第１領域の長さが、吸収性コアの全長の５０％以上９０％以下である前記＜２＞に記載のパンツ型吸収性物品。
＜４＞
第１領域の長さは、吸収性コアの全長の５０％以上であることが好ましく、６０％以上であることが更に好ましく、７０％以上であることが一層好ましく、また９０％以下であることが好ましく、８５％以下であることが更に好ましく、８０％以下であることが一層好ましい前記＜１＞ないし＜３＞のいずれか１に記載のパンツ型吸収性物品。
＜５＞
吸収性本体の幅方向に沿って見たとき、第１領域の坪量がいずれの部位でも同じになっている前記＜１＞ないし＜４＞のいずれか１に記載のパンツ型吸収性物品。
＜６＞
吸収性本体の幅方向に沿って見たとき、第２領域の坪量がいずれの部位でも同じになっている前記＜１＞ないし＜５＞のいずれか１に記載のパンツ型吸収性物品。
【００５８】
＜７＞
第１領域の坪量は、第２領域の坪量に対して１２０％以上であることが好ましく、１４０％以上であることが更に好ましく、また２５０％以下であることが好ましく、２３０％以下であることが更に好ましい前記＜１＞ないし＜６＞のいずれか１に記載のパンツ型吸収性物品。
＜８＞
第２領域の坪量は、１００ｇ／ｍ２以上であることが好ましく、１５０ｇ／ｍ２以上であることが更に好ましく、２００ｇ／ｍ２以上であることが一層好ましく、また６００ｇ／ｍ２以下であることが好ましく、５５０ｇ／ｍ２以下であることが更に好ましく、５００ｇ／ｍ２以下であることが一層好ましい前記＜１＞ないし＜７＞のいずれか１に記載のパンツ型吸収性物品。
＜９＞
第１領域４１の坪量は、１５０ｇ／ｍ２以上９００ｇ／ｍ２以下であることが好ましく、２００ｇ／ｍ２以上８５０ｇ／ｍ２以下であることが更に好ましく、２５０ｇ／ｍ２以上８００ｇ／ｍ２以下であることが一層好ましい前記＜１＞ないし＜８＞のいずれか１に記載のパンツ型吸収性物品。
＜１０＞
吸収性コアが親水性繊維を含み、
第１領域を構成する親水性繊維の坪量は、第２領域を構成する親水性繊維の坪量よりも高くなっている前記＜１＞ないし＜９＞のいずれか１に記載のパンツ型吸収性物品。
＜１１＞
吸収性コアが吸水性ポリマーを含み、
第１領域を構成する吸水性ポリマーの坪量は、第２領域を構成する吸水性ポリマーの坪量よりも高くなっている前記＜１＞ないし＜１０＞のいずれか１に記載のパンツ型吸収性物品。
【００５９】
＜１２＞
第１領域よりも坪量が低く、かつ第２領域よりも坪量が高い第３領域を更に有し、
第３領域は少なくとも腹側部を含む前記＜１＞ないし＜１１＞のいずれか１に記載のパンツ型吸収性物品。
＜１３＞
第１領域の長さが、吸収性コアの全長の４０％以上８０％以下である前記＜１＞ないし＜１２＞のいずれか１に記載のパンツ型吸収性物品。
＜１４＞
第１領域の長さは、吸収性コアの全長の４０％以上であることが好ましく、４５％以上であることが更に好ましく、５０％以上であることが一層好ましく、また８０％以下であることが好ましく、７５％以下であることが更に好ましく、７０％以下であることが一層好ましい前記＜１＞ないし＜１３＞のいずれか１に記載のパンツ型吸収性物品。
＜１５＞
第１領域よりも坪量が低く、かつ第２領域よりも坪量が高い第３領域を更に有し、
第３領域は少なくとも腹側部を含み、
第３領域の坪量は、第２領域の坪量に対して１０５％以上であることが好ましく、１１０％以上であることが更に好ましく、また２００％以下であることが好ましく、１８０％以下であることが更に好ましい前記＜１＞ないし＜１４＞のいずれか１に記載のパンツ型吸収性物品。
＜１６＞
第１領域よりも坪量が低く、かつ第２領域よりも坪量が高い第３領域を更に有し、
第３領域は少なくとも腹側部を含み、
第３領域の坪量は、第１領域の坪量に対して５０％以上であることが好ましく、６０％以上であることが更に好ましく、また９５％以下であることが好ましく、８５％以下であることが更に好ましい前記＜１＞ないし＜１５＞のいずれか１に記載のパンツ型吸収性物品。
【００６０】
＜１７＞
第１領域よりも坪量が低く、かつ第２領域よりも坪量が高い第３領域を更に有し、
第３領域は少なくとも腹側部を含み、
第３領域の坪量は、１２５ｇ／ｍ２以上であることが好ましく、２００ｇ／ｍ２以上であることが更に好ましく、また８００ｇ／ｍ２以下であることが好ましく、７５０ｇ／ｍ２以下であることが更に好ましい前記＜１＞ないし＜１６＞のいずれか１に記載のパンツ型吸収性物品。
＜１８＞
折曲誘導部群が、着用者の大便排泄部の位置よりも背側部側において非存在となっている前記＜１＞ないし＜１７＞のいずれか１に記載のパンツ型吸収性物品。
＜１９＞
折曲誘導部群を構成する各折曲誘導部の幅が同じになっている前記＜１＞ないし＜１８＞のいずれか１に記載のパンツ型吸収性物品。
＜２０＞
各折曲誘導部の幅は、１ｍｍ以上であることが好ましく、３ｍｍ以上であることが更に好ましく、また２０ｍｍ以下であることが好ましく、１５ｍｍ以下であることが更に好ましい前記＜１＞ないし＜１９＞のいずれか１に記載のパンツ型吸収性物品。
＜２１＞
折曲誘導部群を構成する各折曲誘導部の長さが同じになっている前記＜１＞ないし＜２０＞のいずれか１に記載のパンツ型吸収性物品。
【００６１】
＜２２＞
各折曲誘導部の長さは、５０ｍｍ以上であることが好ましく、１００ｍｍ以上であることが更に好ましく、また３５０ｍｍ以下であることが好ましく、３００ｍｍ以下であることが更に好ましい前記＜１＞ないし＜２１＞のいずれか１に記載のパンツ型吸収性物品。＜２３＞
各側部折曲誘導部は、中央折曲誘導部と平行に延びており、
各側部折曲誘導部と中央折曲誘導部との距離が同じになっている前記＜１＞ないし＜２２＞のいずれか１に記載のパンツ型吸収性物品。
＜２４＞
各折曲誘導部の腹側部側の端部の位置は同じであり、背側部側の端部の位置も同じになっている前記＜１＞ないし＜２３＞のいずれか１に記載のパンツ型吸収性物品。
＜２５＞
吸収性コアが単層構造体から構成されている前記＜１＞ないし＜２４＞のいずれか１に記載のパンツ型吸収性物品。
＜２６＞
吸収性コアの肌対向面側及び非肌対向面側に、該吸収性コアを被覆する液透過性シートが対向配置されており、
対向配置された前記液透過性シートと、該液透過性シートの間に位置する、吸収性コアの構成材料が非存在となっている空間とで、中央折曲誘導部が画成されている前記＜１＞ないし＜２５＞のいずれか１に記載のパンツ型吸収性物品。
＜２７＞
前記各折曲誘導部の端部のうち、背側シート部材側の端部Ｔ１と、吸収性コアにおける第２領域と第１領域との境界位置Ｔ２との間の距離が、５ｍｍ以上５０ｍｍ以下、特に１０ｍｍ以上４５ｍｍ以下である前記＜１＞ないし＜２６＞のいずれか１に記載のパンツ型吸収性物品。
【００６２】
＜２８＞
外装体が、腹側部に位置する腹側シート部材と、背側部に位置する背側シート部材とを含み、
吸収性本体が両シート部材に架け渡して固定されている前記＜１＞ないし＜２７＞のいずれか１に記載のパンツ型吸収性物品。
＜２９＞
背側シート部材の長手方向の下端部から、更に長手方向の下方側に延出した後身頃延出域が連設されている前記＜２８＞に記載のパンツ型吸収性物品。
＜３０＞
後身頃延出域においては、外層シート材と内層シート材との間に延出域弾性部材が伸長状態で固定されていることによって、延出部ギャザーが形成されている前記＜２９＞に記載のパンツ型吸収性物品。
＜３１＞
前期背側シート部材を構成する外層シート材における延出部が本体長手方向Ｘに沿う長さをＬ１とし、延出部のうち第２領域と重なる領域の本体長手方向Ｘに沿う長さをＬ２としたとき、Ｌ１に対するＬ２の割合である［Ｌ２／Ｌ１］×１００の値が５０％以上１００％以下、とりわけ６０％以上１００％以下である、前記＜２８＞ないし＜３０＞のいずれか１に記載の吸収性物品。
＜３２＞
外装体が、腹側部から股下部を経て背側部までにわたって配されている前記＜１＞ないし＜２６＞のいずれか１に記載のパンツ型吸収性物品。
【実施例】
【００６３】
以下、実施例により本発明を更に詳細に説明する。しかしながら本発明の範囲は、かかる実施例に制限されない。
【００６４】
〔実施例１〕
本実施例では、図１ないし図４に示すパンツ型使い捨ておむつに用いられる吸収性コア５を、公知の積繊ドラムを用いて製造した。吸収性コア５は、図５に示す構成の単層構造体からなるものとした。吸収性コア５の長さは３９０ｍｍ、幅は１３５ｍｍとした。折曲誘導部は三条形成し、いずれも長さ２００ｍｍ、幅１０ｍｍとした。腹側部Ａの端部から、折曲誘導部の端部までの距離は７５ｍｍとした。中央折曲誘導部と側部折曲誘導部のとのピッチは２６ｍｍとした。腹側部Ａ及び股下部Ｃを含む第１領域４１の長さは２９０ｍｍとし、背側部Ｂを含む第２領域の長さは１００ｍｍとした。第１領域４１におけるパルプ繊維の坪量は１９２ｇ／ｍ２で、吸水性ポリマーの坪量は２５０ｇ／ｍ２であった。第２領域４２におけるパルプ繊維の坪量は１０８ｇ／ｍ２で、吸水性ポリマーの坪量は１３２ｇ／ｍ２であった。この構成の吸収性コア５をティッシュペーパーからなる液透過性シート（坪量１６ｇ／ｍ２）で包み、吸収体を得た。
【００６５】
〔実施例２〕
本実施例においては、２層構造の部位を有する吸収性コア５を、公知の積繊ドラムを用いて製造した。この吸収性コア５においては、第１領域４１が２層構造となっており、第２領域４２が単層構造となっていた。具体的には、第１領域４１及び第２領域４２を含む下層の上に、第１領域４１のみを含む上層を積層して本実施例の吸収性コア５となした。坪量や寸法は実施例１と同様とした。この吸収性コア５を、実施例１と同様のティッシュペーパーで包んで吸収体を得た。
【００６６】
〔実施例３〕
本実施例では、図１ないし図４に示すパンツ型使い捨ておむつに用いられる吸収性コア５を、公知の積繊ドラムを用いて製造した。吸収性コア５は、図６に示す構成の単層構造体からなるものとした。吸収性コア５の長さは３９０ｍｍ、幅は１３５ｍｍとした。折曲誘導部は三条形成し、いずれも長さ２００ｍｍ、幅１０ｍｍとした。腹側部Ａの端部から、折曲誘導部の端部までの距離は７５ｍｍとした。中央折曲誘導部と側部折曲誘導部のとのピッチは２６ｍｍとした。股下部Ｃを含む第１領域４１の長さは２４０ｍｍとし、背側部Ｂを含む第２領域の長さは１００ｍｍとし、腹側部Ａを含む第３領域の長さは５０ｍｍとした。第１領域４１におけるパルプ繊維の坪量は１９２ｇ／ｍ２で、吸水性ポリマーの坪量は２５０ｇ／ｍ２であった。第２領域４２におけるパルプ繊維の坪量は１０８ｇ／ｍ２で、吸水性ポリマーの坪量は１３２ｇ／ｍ２であった。第３領域４３におけるパルプ繊維の坪量は１４０ｇ／ｍ２で、吸水性ポリマーの坪量は１７０ｇ／ｍ２であった。この構成の吸収性コア５をティッシュペーパーからなる液透過性シート（坪量１６ｇ／ｍ２）で包み、吸収体を得た。
【００６７】
〔実施例４〕
本実施例においては、３層構造の部位を有する吸収性コア５を、公知の積繊ドラムを用いて製造した。この吸収性コア５においては、第１領域４１が３層構造となっており、第３領域４２が２層構造となっており、第２領域４２が単層構造となっていた。具体的には、第１領域４１、第２領域４２及び第３領域４３を含む下層の上に、第１領域４１及び第３領域４３のみを含む中層を積層し、中層の上に第１領域４１のみを含む上層を積層して本実施例の吸収性コア５となした。坪量や寸法は実施例１と同様とした。この吸収性コア５を、実施例１と同様のティッシュペーパーで包んで吸収体を得た。
【００６８】
〔比較例１〕
本比較例においては、実施例１と同様の折曲誘導部群を有するが、単一坪量である吸収性コアを製造した。吸収性コアにおけるパルプ繊維の坪量は１６８ｇ／ｍ２で、吸水性ポリマーの坪量は２１６ｇ／ｍ２であった。この吸収性コアを、実施例１と同様のティッシュペーパーで包んで吸収体を得た。
【００６９】
〔比較例２〕
本比較例においては、比較例１において吸収性コアに折曲誘導部群を形成しなかった例である。したがってこの吸収性コアは単純なフラット構造のものである。この吸収性コアを、実施例１と同様のティッシュペーパーで包んで吸収体を得た。
【００７０】
〔比較例３〕
本比較例は、実施例３において吸収性コアに折曲誘導部群を形成しなかった例である。この吸収性コアを、実施例１と同様のティッシュペーパーで包んで吸収体を得た。
【００７１】
〔評価〕
実施例及び比較例で得られた吸収体を用いて図１に示す形態のパンツ型使い捨ておむつを製造した。このおむつについて、液漏れのしにくさ及び股下部の装着圧を以下の方法で測定した。それらの結果を以下の表１に示す。なお、このおむつの表面シートとしては、坪量２５ｇ／ｍ２のエアースルー不織布を用い、裏面シートとしては、坪量１８ｇ／ｍ２のポリエチレンフィルムを用いた。
【００７２】
〔液漏れのしにくさ〕
図１に示すおむつを、そのサイドシール部Ｓの位置で切り裂いて平面状に展開した。角度３０°の斜面台に、腹側が下方向になるように表面シートを上側に向けた展開状態のおむつを置いた。人工尿を５ｇ／秒で５分おきに注入し、おむつが液を保持できなくなるまでの回数を測定した。注入位置は、腹側の吸収体の端部から股下側に向けて１３０ｍｍ内側の位置とした。  
【００７３】
〔股下部の装着圧〕
歩行モデルにおむつを装着し、１分間立ち座り動作を行ったのち、人工尿を５ｇ／秒で合計１６０ｇ注入した。次いで歩行動作を２０秒行った後の踏み出した足（右足）の大腿部の最内側を基準に前４０ｍｍ、前２０ｍｍ、後２０ｍｍ、後４０ｍｍの圧を測定し平均した。
【００７４】
【表１】
2019022727.tif 000003
【００７５】
表１に示す結果から明らかなとおり、各実施例で得られた吸収体は、液漏れが生じるまでの液の注入回数が多く、液漏れしにくいものであることが判る。また、液を吸収した後であっても装着圧が低く、装着感が良好であることが判る。
【符号の説明】
【００７６】
１  パンツ型使い捨ておむつ（パンツ型吸収性物品）
２  吸収性本体
３  外装体
４  立体ギャザー
５  吸収性コア
２１  表面シート
２２  裏面シート
２３  吸収体
３１  腹側シート部材（外装体腹側領域）
３２  背側シート部材（外装体背側領域）
３２Ｅ  後身頃延出域
３２Ｆ  後身頃部材
３３  外装体形成用弾性部材
３５  外層シート材
３６  内層シート材
Ａ  腹側部
Ｂ  背側部
Ｃ  股下部
Ｄ  ウエスト部
Ｅ  胴回り部
Ｘ  本体長手方向
Ｙ  本体幅方向
【図１】
2019022727.tif 000004
【図２】
2019022727.tif 000005
【図３】
2019022727.tif 000006
【図４】
2019022727.tif 000007
【図５】
2019022727.tif 000008
【図６】
2019022727.tif 000009
【図７】
2019022727.tif 000010
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
吸収性コアを含む縦長の吸収性本体と、該吸収性本体の非肌対向面側に配されて該吸収性本体と固定されている外装体とを備え、着用者の腹側に配される腹側部、股間部に配される股下部及び背側に配される背側部を有し、
外装体は、着用者の腹側に配される腹側シート部材と、着用者の背側に配される背側シート部材とを含み、両シート部材は股下部を挟んで分割されており、
腹側シート部材及び背側シート部材それぞれの本体長手方向に沿う両側縁部どうしが接合されてウエスト開口部及び一対のレッグ開口部が形成されているパンツ型吸収性物品であって、
吸収性コアは、坪量の異なる第１領域及び第２領域を少なくとも有し、第１領域は第２領域よりも坪量が高く、
吸収性コアは、親水性繊維及び吸水性ポリマーの粒子を含有し、
第１領域を構成する親水性繊維の坪量は、第２領域を構成する親水性繊維の坪量よりも高く、且つ第１領域を構成する吸水性ポリマーの坪量は、第２領域を構成する吸水性ポリマーの坪量よりも高く、
第１領域における親水性繊維に対する吸水性ポリマーの比率が、第２領域における親水性繊維に対する吸水性ポリマーの比率よりも高く、
第１領域は少なくとも股下部を含み、第２領域は少なくとも背側部を含み、
第１領域は、吸収性コアの長手方向に延びる複数条の折曲誘導部からなる折曲誘導部群を有しており、
折曲誘導部群は、吸収性コアの幅方向中央域に位置する中央折曲誘導部と、該中央折曲誘導部の両側部に位置する一対の側部折曲誘導部とからなり、
折曲誘導部における背側シート部材側の端部と、吸収性コアにおける第２領域と第１領域との境界位置との間の距離が１０ｍｍ以上４５ｍｍ以下である、パンツ型吸収性物品。
【請求項２】
第１領域が少なくとも腹側部及び股下部を含む請求項１に記載のパンツ型吸収性物品。
【請求項３】
第１領域よりも坪量が低く、かつ第２領域よりも坪量が高い第３領域を更に有し、
第３領域は少なくとも腹側部を含む請求項１に記載のパンツ型吸収性物品。
【請求項４】
折曲誘導部群が、着用者の大便排泄部の位置よりも背側部側において非存在となっている請求項１ないし３のいずれか一項に記載のパンツ型吸収性物品。
【請求項５】
折曲誘導部群を構成する各折曲誘導部の幅が同じになっている請求項１ないし４のいずれか一項に記載のパンツ型吸収性物品。
【請求項６】
折曲誘導部群を構成する各折曲誘導部の長さが同じになっている請求項１ないし５のいずれか一項に記載のパンツ型吸収性物品。
【請求項７】
吸収性コアが単層構造体から構成されている請求項１ないし６のいずれか一項に記載のパンツ型吸収性物品。
【請求項８】
吸収性コアの肌対向面側及び非肌対向面側に、該吸収性コアを被覆する液透過性シートが対向配置されており、
対向配置された前記液透過性シートと、該液透過性シートの間に位置する、吸収性コアの構成材料が非存在となっている空間とで、中央折曲誘導部が画成されている請求項１ないし７のいずれか一項に記載のパンツ型吸収性物品。
【請求項９】
折曲誘導部群は、腹側シート部材の下端部と、背側シート部材の下端部との間にのみ位置している請求項１ないし８のいずれか一項に記載のパンツ型吸収性物品。